(57)【特許請求の範囲】
【請求項１】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーを前記本体側装置に登録し認証通信が可能なように設定するペアリングモードと、前記ワイヤレスキーと本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲にあり、かつ前記本体側装置が登録された前記ワイヤレスキーであるかを認証する認証通信を行う認証モードを備え、
ワイヤレスキーが本体側装置に登録された場合、前記サーチモードにおいて、ワイヤレスキーの登録された順番、設定された優先度に応じて特定の１個のワイヤレスキーのみをサーチ通信するサーチ区間Ａと、サーチ区間Ａが終了した後登録されたワイヤレスキーすべてをサーチ通信するサーチ区間Ｂを有する認証装置。
【請求項２】
前記ペアリングモードで追加登録されたワイヤレスキーを備え、前記本体側装置はペアリングモードからサーチモードへ移行した時、前記ペアリングモードで追加されたワイヤレスキーのみを前記サーチ区間Ａで待ち受けサーチ通信を行う請求項１に記載の認証装置。
【請求項３】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーを前記本体側装置に登録し認証通信が可能なように設定するペアリングモードと、前記ワイヤレスキーと本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲にあり、かつ前記本体側装置が登録された前記ワイヤレスキーであるかを認証する認証通信を行う認証モードを備え、
ワイヤレスキーが本体側装置に登録されるステップと、前記サーチモードにおいて、ワイヤレスキーの登録された順番、設定された優先度に応じて特定の１個のワイヤレスキーのみをサーチ通信するステップ（サーチ区間Ａ）と、前記サーチ区間Ａの後登録されたワイヤレスキーすべてをサーチ通信するステップ（サーチ区間Ｂ）を備えた認証方法。
【請求項４】
前記ペアリングモードでワイヤレスキーを追加登録するステップと、前記本体側装置はペアリングモードからサーチモードへ移行するステップと、前記ペアリングモードで追加されたワイヤレスキーのみを前記サーチ区間Ａで待ち受けサーチ通信を行うステップを備えた請求項３に記載の認証方法。
【請求項５】
請求項１または２のいずれか１項記載の認証装置の少なくとも一部をコンピュータに実現させるためのプログラム。
【発明の詳細な説明】
【技術分野】
【０００１】
本発明は、ワイヤレスキーと本体側装置とで定期的或いは不定期的に無線の送受信を行うことによりお互いの存在を確認しあい、ワイヤレスキーと本体側装置が所定の通信範囲を超えた場合に本体側装置の機能を制限したり或いは警報を発生させる認証装置及びプログラムに関するものである。
【背景技術】
【０００２】
近年、セキュリティを考慮しながら携帯電話、あるいはパソコンをはじめとする電子機器の操作ロックを、ワイヤレスで制御するようにしたセキュリティシステムが実用化されてきている。
【０００３】
このようなセキュリティシステムの一形態として、携帯電話の盗難を防止するために、携帯電話の利用者が、カード形態の識別信号送信機を所持し、前記の携帯電話と識別信号送信機との間で予め定めた識別コードを相互に通信し、双方で識別コードを確認できた時に前記携帯電話の使用を可能とするものがある（例えば特許文献１参照）。
【０００４】
このようなワイヤレスによる双方向通信システムの特許文献１では、電子機器等の本体側に搭載された機器において、携帯側装置（以降、ワイヤレスキーと称する）から定期的に発せられる信号を検知する動作を継続して行わせる構成であった。
【０００５】
そして、サーチモード、認証モード、サーチモードから認証モードに移行する中間段階である初期認証モード、という３つのモードを有し、認証モードにおいて電子機器の操作を可能とする構成、サーチモードにおいては電子機器の操作を制限する構成が示されている。サーチモードと認証モードの識別は電波強度によって行われる。
【０００６】
例えば、電波強度が強い（ワイヤレスキーを持った利用者との距離が近い）ときは認証モードとして電子機器が使用可能とし、電波強度が弱い（距離が遠い）ときにはサーチモードとして電子機器を使用制限する。
【特許文献１】特開２００４−１４３８０６号公報
【発明の開示】
【発明が解決しようとする課題】
【０００７】
しかしながら、前記従来の構成では、複数のワイヤレスキーを本体側装置に登録される場合において、サーチモードになった場合、本体側装置がワイヤレスキーを探している時、複数あるワイヤレスキーのいずれと認証されるか分からない。すなわち本体側装置にワイヤレスキーを登録設定するモード（以下ペアリングモードと呼ぶ）で、ワイヤレスキーを登録した順番や、また利用者がワイヤレスキーを利用している状況に関係なく、複数あるいずれかのワイヤレスキーと認証してしまう問題があり、利用者にとって利便性が悪かった。すなわち自分の意図したワイヤレスキーをサーチモードで探し出し、認証させることができなかった。
【０００８】
また加えて、本体側装置にすでに登録されているワイヤレスキーＡがあり、そして利用者が新たに購入してワイヤレスキーＢを追加登録したい場合、利用者は、本体側装置とワイヤレスキーＢをペアリングモードで登録設定する。そして登録完了後、本体側装置、すでに登録済みのワイヤレスキーＡ、新たに登録したワイヤレスキーＢはいずれもサーチモードになり本体側装置はワイヤレスキーをサーチモードで探すが、今登録したワイヤレスキーＢが認証キーとして認証通信されるどうかが分からず利便性が悪いものであった。
【０００９】
本発明は、前記従来の課題を解決するもので、本体側装置に複数のワイヤレスキーを設定できる場合、すでに登録されたワイヤレスキーＡに加えて、追加してワイヤレスキーＢをペアリングモードで登録設定した場合、登録完了後に移行するサーチモードにおいて、登録された順番や、設定された優先度に応じて特定の１台のワイヤレスキーＢのみを探すサーチ区間Ａと、その後に登録されたすべてのワイヤレスキーを探すサーチ区間Ｂを設け、ワイヤレスキーを追加登録した場合に、利用者の意図通りに認証させ、利便性を向上させることを目的とする。
【課題を解決するための手段】
【００１０】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーを前記本体側装置に登録し認証通信が可能なように設定するペアリングモードと、前記ワイヤレスキーと本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲にあり、かつ前記本体側装置が登録された前記ワイヤレスキーであるかを認証する認証通信を行う認証モードを備え、ワイヤレスキーが本体側装置に登録された場合、前記サーチモードにおいて、ワイヤレスキーの登録された順番、設定された優先度に応じて特定の１個のワイヤレスキーのみをサーチ通信するサーチ区間Ａと、サーチ区間Ａが終了した後登録されたワイヤレスキーすべてをサーチ通信するサーチ区間Ｂを有する認証装置を構成したものである。
【００１１】
そして本体側装置にすでにワイヤレスキーが登録されており、追加でワイヤレスキーを登録した場合において、登録された順番や設定された優先度に応じて、本体側装置のサーチ区間Ａの間で、特定の１台のワイヤレスキーのみとサーチ通信を行うことによって、利用者が直前に登録したワイヤレスキー（すなわち、現在利用したいワイヤレスキー）のみを探すことができるようになり、利用者が意図しない古いワイヤレスキーと認証されないので利用者の利便性を向上する。
【００１２】
また加えて本体側装置に利用者が設定した優先度設定に応じて、ワイヤレスキーを探してサーチ通信を行うようにすると、登録の順番に関係なく利用者が使用したいワイヤレスキーを優先的にサーチ通信できるようになりさらに利便性を向上する。
【発明の効果】
【００１３】
本発明の認証装置、認証方法及びプログラムを用いることにより、サーチモードのサーチ区間Ａの期間で、登録された順番や利用者が設定した優先度に応じて、本体側装置に登録された特定のワイヤレスキーの１台のみをサーチ通信することができるようになり、利用者の意図したワイヤレスキーが優先的に認証されるようになり、利便性を向上する効果がある。
【発明を実施するための最良の形態】
【００１４】
第一の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーを前記本体側装置に登録し認証通信が可能なように設定するペアリングモードと、前記ワイヤレスキーと本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲にあり、かつ前記本体側装置が登録された前記ワイヤレスキーであるかを認証する認証通
信を行う認証モードを備え、ワイヤレスキーが本体側装置に登録された場合、前記サーチモードにおいて、ワイヤレスキーの登録された順番、設定された優先度に応じて特定の１個のワイヤレスキーのみをサーチ通信するサーチ区間Ａと、サーチ区間Ａが終了した後登録されたワイヤレスキーすべてをサーチ通信するサーチ区間Ｂを有する認証装置を構成したものである。
【００１５】
そしてサーチモードのサーチ区間Ａの期間で、登録された順番や利用者が設定した優先度に応じて、本体側装置に登録された特定のワイヤレスキーの１台のみをサーチ通信することができるようになり、利用者の意図したワイヤレスキーのみが優先的に認証されるようになり、利便性を向上する。
【００１６】
第二の発明は、前記ペアリングモードで追加登録されたワイヤレスキーを備え、前記本体側装置はペアリングモードからサーチモードへ移行した時、前記ペアリングモードで追加されたワイヤレスキーのみを前記サーチ区間Ａで待ち受けサーチ通信を行う請求項１に記載の認証装置を構成したものである。
【００１７】
そして、ペアリングモードからサーチモードへ移行した本体側装置は、直前にペアリングモードで追加したワイヤレスキーのみをサーチ区間Ａの間に探してサーチ通信させ認証させるので、追加登録したワイヤレスキーをそのまま認証キーとして使うことができるようになり、利用者の利便性を向上する。
【００１８】
第３の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証装置であって、前記ワイヤレスキーを前記本体側装置に登録し認証通信が可能なように設定するペアリングモードと、前記ワイヤレスキーと本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲にあり、かつ前記本体側装置が登録された前記ワイヤレスキーであるかを認証する認証通信を行う認証モードを備え、ワイヤレスキーが本体側装置に登録されるステップと、前記サーチモードにおいて、ワイヤレスキーの登録された順番、設定された優先度に応じて特定の１個のワイヤレスキーのみをサーチ通信するステップ（サーチ区間Ａ）と、前記サーチ区間Ａの後登録されたワイヤレスキーすべてをサーチ通信するステップ（サーチ区間Ｂ）を備えた認証方法である。
【００１９】
そしてサーチモードのサーチ区間Ａの期間で、登録された順番や利用者が設定した優先度に応じて、本体側装置に登録された特定のワイヤレスキーの１個のみをサーチ通信することができるようになり、利用者の意図したワイヤレスキーが優先的に認証されるようになり、利便性を向上する。
【００２０】
第４の発明は、前記ペアリングモードでワイヤレスキーを追加登録するステップと、前記本体側装置はペアリングモードからサーチモードへ移行するステップと、前記ペアリングモードで追加されたワイヤレスキーのみを前記サーチ区間Ａで待ち受けサーチ通信を行うステップを備えた請求項３に記載の認証方法である。
【００２１】
そして、ペアリングモードからサーチモードへ移行した本体側装置は、直前にペアリングモードで追加したワイヤレスキーのみをサーチ区間Ａの間に探してサーチ通信させ認証させるので、追加登録したワイヤレスキーをそのまま認証キーとして使うことができるようになり、利用者の利便性を向上する。
【００２２】
第５の発明は、請求項１または２のいずれか１項記載の認証装置の少なくとも一部をコンピュータに実現させるためのプログラムである。
【００２３】
そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２４】
以下、本発明の実施の形態について、図面を参照しながら説明する。なお、この実施の形態によって本発明が限定されるものではない。
【００２５】
（実施の形態１）
図１は本発明の実施の形態１における認証装置のブロック図を示すものである。
【００２６】
図１において携帯電話１０１は、本体側装置１０２である第一のアンテナ１、第一の送受信手段２、第一の受信情報判定手段３、第一の応答手段４と携帯電話１０１の機能である設定手段５で構成されている。
【００２７】
ワイヤレスキー１０３は、第二のアンテナ６、第二の送受信手段７、第二の受信情報判定手段８、第二の応答手段９で構成されている。
【００２８】
本実施の形態では、本体側装置１０２は携帯電話１０１に組み込んだものを説明するが、ノートパソコンなどの電子機器に組み込んで使用することも可能である。ワイヤレスキー１０３と本体側装置１０２が認証装置を構成している。
【００２９】
本実施の形態の認証装置は特定小電力無線の電波４２６ＭＨｚ帯を使用したものである。また同装置で動作モードであるペアリングモード、サーチモードではチャンネル４（以下、ＣＨ４と示す）、認証モードではＣＨ１〜３をランダムに使用するシステムを構成する。
【００３０】
本体側装置１０２とワイヤレスキー１０３の間の認証方法について図２を参照しながら説明する。
【００３１】
本体側装置１０２はペアリングされたワイヤレスキー１０３と距離が離れて通信できない場合サーチモードと呼ばれるモードで動作する。本体側装置１０２とワイヤレスキー１０３のペアリング動作に関しては後述する。サーチモードでは、本体側装置１０２はペアリングされたワイヤレスキー１０３に対して所定の間隔でサーチ要求１１、１２、１３を発信し、ワイヤレスキー１０３を探す。本実施の形態では、２秒ごとにサーチ要求を送信している。
【００３２】
ワイヤレスキー１０３がサーチ要求１３を受信するとキー側簡易ＩＤ１４を本体側装置１０２へ送信する。本体側装置１０２は受信したキー側簡易ＩＤ１４を確認し、ペアリングされた相手かを判定して、本体側簡易ＩＤ１５を応答する。ワイヤレスキー１０３は受信した本体側ペアリングされた本体側装置１０２であるかを確認する。
【００３３】
簡易ＩＤでペアリングされた装置からの信号であることを確認すると、ワイヤレスキー１０２はキー側ＩＤ１６を本体側装置１０２へ送信し、確認されると本体側装置１０２から本体側ＩＤ１７をワイヤレスキー１０３へ送信する。そしてワイヤレスキー１０３は本体側装置１０２を確認する。
【００３４】
このように、本体側装置１０２から自身にペアリングされたワイヤレスキー１０３を探し互いがペアリング登録された相手であることを確認すると、サーチモードから認証モードへ移行する。なお、それぞれの簡易ＩＤは、実際のＩＤデータの一部から構成され、データサイズはＩＤデータより小さいサイズで構成される。
【００３５】
次に認証モードについて説明する。本体側装置１０２からは認証要求信号１８が短時間送信される。ワイヤレスキー１０３は前記認証要求１８を受信すると認証応答信号１９を送信する。認証要求１８及び認証応答信号１９にはＩＤの一部から形成された識別データが含まれており、前記識別データを検出することによりお互いが紐付けされた相手であることを認証する。
【００３６】
例えば８秒ごとに本体側装置１０２から認証要求１８、２０と順次送信され、識別データを検出・認証したときにワイヤレスキー１０３から応答１９、２１が返信される。この繰り返しによりお互いの認証が維持される。
【００３７】
このように認証要求に対して認証応答を返信しお互いが認証しあっている状態が認証モードであり、この認証モードの期間で受信レベルが所定値以上であると、本体側装置１０２が組み込まれた携帯電話１０１などの電子機器の機能制限、またはワイヤレスキー１０３からの警報は行わない。
【００３８】
認証要求１８、２０や認証応答１９、２１の送受信は図１の第一の送受信手段２や第二の送受信手段７で行われる。
【００３９】
第一の送受信手段２や第二の送受信手段７で認証要求１８、２０や認証応答１９、２１の電波を受信すると、図示していないが受信レベルを検出する。受信レベルが所定の受信レベルＰ１以上であると判定すれば、認証モードを保持し前記の認証手順を繰り返す。受信レベルがＰ１未満であった場合、携帯電話の特定の機能、電子マネーやメールなどの機能を制限する。
【００４０】
次にワイヤレスキー１０３と本体側装置１０２の間の距離が離れ、本体側装置１０２で検出する認証応答信号１９、２１の受信レベルが所定の受信レベルＰ２以下になった場合について説明する。本体側装置１０２からの認証要求２２の電波をワイヤレスキー１０３で受信できずに認証応答２３が返ってこない、或いは受信できたが認証応答２３が本体側装置１０２で受信できない時、本体側装置１０２はサーチモードに移行する。
【００４１】
サーチモードに移行すると、本体側装置１０２が実装されている携帯電話などの電子機器の機能制限行う。機能制限とは例えば携帯電話の場合、キー操作を禁止することによりアドレス情報を見られないようにしたり、電子マネー機能を禁止したり、電話の発信を禁止したりすることにより、携帯電話の機能の一部或いは全てを使えなくすることである。
【００４２】
一方、ワイヤレスキー１０３も認証要求２２が受信できない場合、サーチモードに移行する。そして図示していないが、ブザーを鳴らし置き忘れを報知する。受信できた場合は、認証モードを継続する。
【００４３】
サーチモードに移行すると本体側装置１０２は、サーチ要求を間欠送信し、４８時間経過するとワイヤレスキー１０３は動作停止の状態になる。
【００４４】
次に図３、４、５を用いて本体側装置１０２とワイヤレスキー１０３のペアリング動作後のサーチモードの動作、作用について説明する。
【００４５】
図３は本実施の形態１のペアリングモードでペアリング登録した本体側装置１０２、ワイヤレスキー１０３がサーチモードへ移行する動作を示すシーケンス図である。図４はペアリング動作後のサーチモードのシーケンス図である。図５はペアリング動作後のサーチモードのサーチＡ区間の処理を示すシーケンス図である。
【００４６】
図３において、ペアリングモードに設定された本体側装置１０２は同じくペアリングモードのワイヤレスキー１０３に対して、サーチ要求２４、２５、２６を間欠的に送信している。
【００４７】
そしてサーチ要求２６を受信したワイヤレスキー１０３は応答としてキー側簡易ＩＤ２７を本体側装置１０２に送信する。キー側簡易ＩＤ２７を受信した本体側装置１０２は、乱数データ２８をワイヤレスキー１０３に対して送信する。乱数データ２８を受信したワイヤレスキー１０３はキー側ＩＤ２９を本体側装置１０２に送信し、また本体側装置１０２はワイヤレスキー１０３に本体側ＩＤ３０を送信する。そして乱数データ２８とキー側ＩＤ、本体側ＩＤから共通鍵を生成する（図３  ３１）。
【００４８】
ワイヤレスキー１０３は本体側ＩＤ３０を受信すると、共通鍵を生成後、本体側ＩＤ３２を本体側装置１０２に送信し、本体側装置１０２で同じく共通鍵を生成する（図３  ３３）。
【００４９】
そして本体側装置１０２は共通鍵を生成すると、ペアリングされたワイヤレスキー１０３のキー側ＩＤに優先度フラグを立て不揮発メモリに記録する（図３  ３４）。
【００５０】
そしてペアリングが完了するとそれぞれサーチモードへ移行する。ペアリングモードでペアリング登録された本体側装置１０２、ワイヤレスキー１０３は互いに通信相手として登録する。
【００５１】
サーチモードへ移行すると、本体側装置１０２はサーチ区間Ａ３７の３０秒間において２秒間欠でサーチ要求３５、３６を送信する。ワイヤレスキー１０３は０．２秒間欠で受信を行い、サーチ要求を受信するとキー側簡易ＩＤを応答する。サーチ区間Ａの本体側装置１０２は直前のペアリングモードで登録されたワイヤレスキー１０３のみの信号を待ち受け、それ以外の信号は無視する。すなわち、本体側認証装置１０２に複数のワイヤレスキー１０３が登録されている場合であっても、サーチ区間Ａの間は、直前に登録されたワイヤレスキー１０３のみがサーチ通信が可能になる。
【００５２】
サーチ区間Ａの３０秒でワイヤレスキー１０３の信号が受信できずサーチ通信が完了しない場合、サーチ区間Ｂ４０へ移行する。サーチ区間Ｂでは本体側装置１０２にペアリングされた複数のすべてのワイヤレスキー１０３の信号を待ち受け応答する。本体側装置１０２はサーチ要求３８、３９の送信間隔が１１秒に変更され、ワイヤレスキー１０３は受信間欠が１秒に変更される。サーチ区間Ｂは３時間である。サーチ区間Ｂが経過すると、さらにサーチモードは変更され、本体側装置１０２は４８時間でサーチ要求の送信を停止する。
【００５３】
図５はペアリング後のサーチ区間Ａのサーチ通信を示す。本体側装置１０２はサーチ要求４１、４２、３を２秒間欠で送信し、直前のペアリング動作で登録したワイヤレスキー１０３の応答を待ち受けしている。そしてワイヤレスキー１０３がサーチ要求４３を第二のアンテナ（図１の６）、第二の送受信手段（図１の７）を介して受信すると、正常な信号であるかを第二の受信情報判定手段（図１の８）で判定され、第二の応答手段（図１の９）により、キー側簡易ＩＤ４４が応答される。
【００５４】
キー側簡易ＩＤ４４を受信した本体側装置１０２は、第一のアンテナ（図１の１）、第一の受信情報判定手段（図１の３）で受信され正常な信号であるかを第一の受信情報判定手段３で判定し、第一の応答手段４により本体側簡易ＩＤ４５が送信される。
【００５５】
そして同様に本体側簡易ＩＤ４５がワイヤレスキー１０３で受信され、ペアリングされた本体側装置１０２と一致すると、ワイヤレスキー１０３本体側装置１０２に対してキー側ＩＤ４６を送信する。
【００５６】
キー側ＩＤ４６を受信した本体側装置１０２は、受信したＩＤが直前のペアリングモードで登録されたワイヤレスキー１０３のＩＤであるかを判定する。判定は第一の受信情報判定手段（図１の３）で行う。ワイヤレスキー１０３のキー側ＩＤと共に、直前にペアリングモードで登録された時に記録する優先度フラグを判定する。受信したキー側ＩＤ４６が、本体側装置１０２に保持するワイヤレスキーのＩＤと一致してかつ優先度フラグが立っている場合、第一の応答手段（図１の４）によって本体側ＩＤ４８を送信し、優先度フラグを削除する（図５の４９）。そして本体側装置１０２は認証モードへ移行する。本体側ＩＤ４８を受信したワイヤレスキー１０３はペアリングされた本体側装置１０２のＩＤであることを判定すると認証モードへ移行する。
【００５７】
また優先度フラグの立っていないワイヤレスキー１０３のキー側ＩＤを受信した場合、ワイヤレスキー１０３に応答は返さずサーチモードの先頭に戻り、本体側装置１０２は、またサーチ要求を間欠的に送信する（図５の４９）。図示しないが、サーチ区間Ａが経過するとサーチ区間Ｂになると共に、優先度フラグを削除する。
【００５８】
このように優先度フラグはペアリングモードでワイヤレスキー１０３が追加登録された時、当該ワイヤレスキー１０３のＩＤ情報と共に本体側装置１０２の不揮発メモリ内に記録される。また優先度フラグはペアリング終了後、本体側装置１０２とワイヤレスキー１０３との間でサーチ通信が正常終了するか、もしくはサーチモードへ移行しサーチ通信が完了せずサーチ区間Ａの時間が経過すると優先度フラグは削除される。すなわち、ペアリング後、一度だけサーチ区間Ａにおいて、直前にペアリング登録されたワイヤレスキー１０３のみをサーチする。以後サーチ区間Ａ３７では登録されたすべてのワイヤレスキー１０３とサーチ通信可能となる。この処理によって新たにワイヤレスキー１０３を購入して追加登録する場合など、追加したワイヤレスキー１０３がサーチ通信され認証し、そのまま認証キーとして利用できるようになるので利用者の利便性が向上する。
【００５９】
なお、本実施の形態１で説明したサーチモード、認証モードでの送信信号の間欠周期や、サーチ区間Ａ，サーチ区間Ｂなどの時間は必要に応じて変更できるものであり、それに限定されない。
【００６０】
なお、本実施の形態１において携帯電話１０１に本体側装置１０２を備えた認証装置を説明したが、携帯電話でなくてもよくノートＰＣやその他の電子機器でも同様の効果がある。
【００６１】
また認証装置の利用している電波帯として、特定小電力無線帯４２６ＭＨｚを用いて説明したが周波数帯には依存しない。
【００６２】
またペアリング後サーチモードへ移行し、一度だけサーチ区間Ａにおいて追加登録されたワイヤレスキー１０３を優先的に通信させるように説明したが、一度だけでなく以降ずっと最後に登録したものを、優先的に通信させるようにしてもよい。
【００６３】
また携帯電話１０１の設定手段５から優先度を設定できるようにし、複数登録されたワ
イヤレスキー１０３の１個において優先度フラグを立てるようにしてもよい。そのようにすれば、複数のワイヤレスキー１０３を使用している場合でも、登録順の最新ではなく、利用者の一番使用頻度の高いワイヤレスキー１０３を自分で設定し利便性を高めることができるようになる。
【００６４】
このように本実施の形態のように構成すれば、サーチモードのサーチ区間Ａの期間で、登録順や、利用者が設定した優先度に応じて、本体側装置に登録された特定のワイヤレスキーの１台のみをサーチ通信することができるようになり、利用者の使いたい、または使おうと意図したワイヤレスキーが優先的に認証されるようになり利便性を向上させることができる。
【００６５】
加えてペアリング登録後サーチモードへ移行し、サーチ区間Ａにおいて直前に追加登録したワイヤレスキー１０３のみを本体側装置１０２で受信待ち受けすることで、利用者が使おうとして追加登録したワイヤレスキーが、意図したとおりサーチ通信し認証され、認証キーとして利用できるので利便性が向上する。すなわち意図しないワイヤレスキーと認証されることを減少させることができる。
【００６６】
また本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６７】
本発明にかかる認証装置、認証方法及びプログラムは、ワイヤレスキーと同期通信していないサーチモード、認証され同期通信している認証モードを備える、ワイヤレスキーを用いたセキュリティシステムに利用できる。また、携帯電話に限らず、パソコンやＰＤＡなどでも利用することができる。
【図面の簡単な説明】
【００６８】
【図１】本発明の実施の形態１における認証装置のブロック図
【図２】本発明の実施の形態１における認証装置の通信シーケンスを説明する図
【図３】本発明の実施の形態１における認証装置のペアリングシーケンスを説明する図
【図４】本発明の実施の形態１における認証装置のサーチシーケンスを説明する図
【図５】本発明の実施の形態１における認証装置のサーチ区間Ａのシーケンスを説明する図
【符号の説明】
【００６９】
３７  サーチ区間Ａ
３８  サーチ区間Ｂ
１０２  本体側装置
１０３  ワイヤレスキー
【図１】
0005104292.tif 000002
【図２】
0005104292.tif 000003
【図３】
0005104292.tif 000004
【図４】
0005104292.tif 000005
【図５】
0005104292.tif 000006